(57)【特許請求の範囲】
【請求項１】
互いの面が対向するように並設された複数の部材を有し、これら部材の少なくとも１つの部材の面が熱が放出される熱放出面を有する電子機器の冷却方法であって、
前記複数の部材からなるユニット部の、前記熱放出面を含む平面と交差する第１の側面から前記熱放出面上に設定される基準点に向かって流れる第１の空気流を発生させるステップと、
前記ユニット部の、前記熱放出面を含む平面と交差する、前記第１の側面に隣接する第２の側面から前記基準点に向かって流れる第２の空気流を発生させるステップと、
前記第１の空気流と前記第２の空気流とを前記基準点および前記基準点の近傍で衝突させ衝突噴流を発生させるステップと、
前記衝突噴流が移動するステップとからなることを特徴とする電子機器の冷却方法。
【請求項２】
前記衝突噴流が移動する方向は、障害物のない方向であることを特徴とする請求項１に記載の電子機器の冷却方法。
【請求項３】
前記第１の空気流の流速および流量は、前記第２の空気流の流速および流量とそれぞれ同じであることを特徴とする請求項１又は請求項２に記載の電子機器の冷却方法。
【請求項４】
液晶パネルと、前記液晶パネルの入射面側に配置された第１の光学素子と、前記液晶パネルの出射面側に配置された第２の光学素子と、を有し、これらの少なくとも１つを冷却する液晶プロジェクタの冷却方法であって、
前記液晶パネルの第１の側面から、前記液晶パネルの入射面または出射面上に設定される基準点に向かって流れる第１の空気流を発生させるステップと、
前記液晶パネルの、前記第１の側面と隣接する第２の側面から、前記基準点に向かって流れる第２の空気流を発生させるステップと、
前記第１の空気流と前記第２の空気流とを前記基準点および前記基準点の近傍で衝突させ衝突噴流を発生させるステップと、
前記衝突噴流が前記入射面または前記出射面上を移動するステップとからなることを特徴とする液晶プロジェクタの冷却方法。
【請求項５】
前記液晶パネルの第１の側面は前記液晶パネルの下部の側面であり、
前記衝突噴流が前記入射面または前記出射面上を移動する方向は、前記液晶パネルの前記入射面から見た場合に右斜め上方向であることを特徴とする請求項４に記載の液晶プロジェクタの冷却方法。
【請求項６】
前記基準点は、前記液晶パネルの表面の中心であることを特徴とする請求項４又は請求項５に記載の液晶プロジェクタの冷却方法。
【請求項７】
前記第１の空気流の流速および流量は、前記第２の空気流の流速および流量とそれぞれ同じであることを特徴とする請求項４から請求項６のいずれか１項に記載の液晶プロジェクタの冷却方法。
【発明の詳細な説明】
【技術分野】
【０００１】
本発明は、液晶プロジェクタ装置などの電子機器に搭載される冷却装置に関し、特に、発熱する部材の面を冷却するための冷却装置に関する。
【背景技術】
【０００２】
液晶プロジェクタ装置は、光源からの光束を赤（Ｒ）、緑（Ｇ）、青（Ｂ）の各色の光束に色分離するための複数のダイクロイックミラーと、色分離した各色の光束がそれぞれ照射される３つの液晶パネルと、各液晶パネルで空間変調された各色の画像光を色合成する色合成プリズムと、色合成された画像光をスクリーン上に投射する投射光学系とを有する。
【０００３】
液晶パネルは、マトリクス状に配置された複数の液晶セルを備え、各液晶セルを囲むように、ブラックマトリクスと呼ばれる遮光領域が設けられている。液晶セルは、透明電極が形成された面が対向するように配置された２枚のガラス基板の間に液晶物質を充填したものであり、透明電極に電圧を供給することにより液晶分子の向きを制御することで、入射光を遮ったり透過させたりすることができる。液晶セルにより光を遮る際に、液晶分子が光を吸収することで、液晶パネルが発熱する。また、ブラックマトリクスが光を吸収することで、液晶パネルが発熱する。液晶パネルの発熱により、液晶セルの配向膜がダメージを受ける場合がある。
【０００４】
また、液晶パネルとして、ＴＮ（Twisted Nematic）モードで動作する液晶パネルを用いる場合は、液晶パネルの入射面側および出射面側に偏光板が設けられる。この偏光板は、所定の偏光成分の光（例えばＳ偏光光）のみを透過し、それ以外の光を吸収する。光を吸収することで、偏光板も発熱する。偏光板の発熱により、偏光板の偏光選択特性が著しく低下する場合がある。
【０００５】
そこで、液晶パネルや偏光板を冷却するための冷却装置が提案されている。以下、本発明の関連技術として、そのような冷却装置を搭載する液晶プロジェクタについて説明する。
【０００６】
図１４は、関連技術としての液晶プロジェクタを説明するための図であって、（ａ）は液晶プロジェクタの外観図、（ｂ）は、液晶プロジェクタの内部構造を示す斜視図である。図１５は、その液晶プロジェクタに搭載された冷却装置の構成を示す模式図である。
【０００７】
図１４および図１５に示すように、液晶プロジェクタ１の筐体内には、液晶ユニット部２、冷却ファン３、空冷ダクト４、光源５、リフレクタ６、ランプ用冷却ファン７、ランプ用冷却ダクト８、排気ファン９、電源ユニット１０、および投射レンズ１１が設けられている。
【０００８】
光源５から光がリフレクタ６で反射されて平行光束として液晶ユニット２に入射する。液晶ユニット部２は、複数のダイクロイックミラーによって赤（Ｒ）、緑（Ｇ)、青(Ｂ)に色分離された各色の光束が、それぞれ照射される３つの液晶パネルと、各液晶パネルで空間変調された各色の画像光を色合成する色合成プリズムとを備える。各液晶パネルの入射面側および出射面側には、偏光板が設けられている。色合成プリズムで色合成された画像光は、投射レンズ１１によりスクリーン上に投射される。
【０００９】
ランプ用冷却ファン７およびランプ用冷却ダクト８は、光源５を冷却するための手段である。ランプ用冷却ファン７で発生した空気流がランプ用冷却ダクト８を通じて光源５まで到達する。冷却ファン３および空冷ダクト４は、液晶ユニット部２を冷却するための手段である。冷却ファン３で発生した空気流が空冷ダクト４を通じて液晶ユニット部２まで到達する。排気ファン９は、筐体内の空気を筐体外へ排出する。
【００１０】
図１６は、液晶ユニット部２を冷却する冷却装置の具体的な構造を説明するための図であって、（ａ）は分解斜視図、（ｂ）は冷却動作を説明するための模式的断面図である。
【００１１】
図１６の（ａ）および（ｂ）に示すように、冷却装置１５は、空冷ダクト４および冷却ファン３を有する。空冷ダクト４は、冷却ファン３からの空気流を液晶ユニット部２に向けて送り出すための複数の吐出口１７を備える。液晶ユニット部２は、吐出口１７の上方に位置する。
【００１２】
液晶ユニット部２を構成する各液晶パネル１３の入射面側には、偏光板１２が配置され、出射面側（色合成プリズム側）には、偏光板１４が配置されている。吐出口１７は、液晶パネル１３および偏光板１２、１４からなる部位毎に設けられている。
【００１３】
図１６（ｂ）に示すように、冷却ファン３からの送風１６は、空冷ダクト４内を流れ、各吐出口１７から液晶ユニット部２へ向けて送り出される。吐出口１７から出た空気流が液晶パネル１３および偏光板１２、１４の各隙間を通ることにより、液晶パネル１３および偏光板１２、１４が冷却される。
【００１４】
特許文献１には、液晶ユニットを冷却する冷却装置の別の形態が記載されている。図１７は、その冷却装置の構成を示す模式図である。
【００１５】
図１７を参照すると、冷却ファン３からの送風１６は、偏光板１２と液晶パネル１３の間および液晶パネル１３と色合成プリズム３５の間を流れる。色合成プリズム３５を保持する部材の、冷却ファン３の側の部分には風向板３９が設けられている。冷却ファン３からの送風１６が液晶パネル１３の面の方向に向かうように、風向板３９により送風１６の向きを変えることで、液晶パネル１３の冷却効率の改善を図ることができる。
【００１６】
特許文献２には、液晶ユニットを冷却する冷却装置のさらに別の形態が記載されている。図１８は、その冷却装置の構成を示す模式図である。
【００１７】
図１８を参照すると、液晶パネル１３の保持枠４０の対向する縁に沿って、２つの突片部４１が設けられている。各突片部４１は、板状の部材であって、ダクト吐出口４２から供給される空気が一定方向に流れるように制限する。これにより、ダクト吐出口４２から供給される空気のほとんどが、液晶パネル１３の面に沿って流れることになり、その結果、冷却効率が向上する。
【００１８】
特許文献３には、液晶ユニットを冷却する冷却装置のさらに別の形態が記載されている。図１９は、その冷却装置の構成を示す模式図である。
【００１９】
図１９を参照すると、液晶パネル１３の保持枠４０の、液晶パネル１３と偏光板１４との間の空気流路に面する部分に、切欠部４３が形成されている。切欠部４３を設けることで、空気流路幅（図１９中のＸとＹで示した幅）が増大し、その結果、空気流量が増大する。
【００２０】
特許文献４には、液晶ユニットを冷却する冷却装置のさらに別の形態が記載されている。図２０は、その冷却装置の構成を説明するための図であって、（ａ）は上面図、（ｂ）は側面断面図である。
【００２１】
図２０の（ａ）および（ｂ）を参照すると、液晶パネル１３を挟んで対向配置された、色合成プリズム３５と偏光板１２の間に、断面形状がＵ字状の導風板４４が架設されている。冷却ファン３からの空気流は、色合成プリズム３５と液晶パネル１３の間を通過した後、導風板４４により折り返される。導風板４４により折り返された空気流は、液晶パネル１３と偏光板１２の間を通過する。この構成によれば、液晶パネル１３の面に生じる温度ムラの発生を抑制することができる。
【００２２】
特許文献４には、上記の冷却装置の変形例がさらに記載されている。図２１は、その変形例を説明するための図であって、（ａ）は上面図、（ｂ）は側面断面図である。この変形例では、液晶パネル１３の下方に冷却ファン３ａは配置され、液晶パネル１３の上方に冷却ファン３ｂが配置されている。冷却ファン３ａからの空気流は、色合成プリズム３５と液晶パネル１３の間を通過する。冷却ファン３ｂからの空気流は、液晶パネル１３と偏光板１２の間を通過する。この変形例によっても、液晶パネル１３の面に生じる温度ムラの発生を抑制することができる。
【００２３】
特許文献５には、液晶ユニットを冷却する冷却装置のさらに別の形態が記載されている。図２２は、その冷却装置の構成を模式的に示す断面図である。
【００２４】
図２２を参照すると、冷却装置は、冷却ファン３ａにより発生した空気流が循環する循環ダクト４５を備える内側循環部と、冷却ファン３ｂにより発生した空気流が循環する空気環流用ダクト４６を備える外側循環部とを有する。冷却ファン３ｂにより外気が外側循環部内に取り込まれる。冷却ファン３ｂにより取り込んだ空気が循環ダクト４５の外面に沿って流れることで、内側循環部が冷却される。
【先行技術文献】
【特許文献】
【００２５】
【特許文献１】特開平１１―２９５８１４号公報
【特許文献２】特開２００１―３１８３６１号公報
【特許文献３】特開２００４ ― ６１８９４号公報
【特許文献４】特開２０００―１２４６４９号公報
【特許文献５】特開２００１―２０９１２６号公報
【発明の概要】
【発明が解決しようとする課題】
【００２６】
一般に、平板の面に沿って一定方向に流体が流れる場合、平板の面上の流れの場に形成される境界層には、流れの速度や粘性などの条件により層流と乱流の二つの状態があるが、いずれの場合においてもこの境界層が厚いと熱伝達率が低下し、平板の面から効率よく放熱することができなくなる。よって、平板の面から高効率に熱を逃がすためには、境界層を薄く（薄膜化）することで熱伝達率を改善することが重要である。
【００２７】
しかし、図１６に示した冷却装置および特許文献１乃至５に記載した冷却装置はいずれも、境界層の薄膜化が可能な構造にはなっていないため、熱伝達率の十分な改善効果を得ることは困難である。
【００２８】
なお、境界層の厚さは、平板の面に沿って流れる流体の流速（風速）の平方根に逆比例するため、熱伝達率の十分な改善効果を得るには、流速（風速）を大幅に上げる必要がある。冷却ファンの回転数を上げることで風速を上げることができるが、冷却ファンの回転数を上げると、冷却ファンの騒音も大きくなる、という不具合が生じる。
【００２９】
また、大型の冷却ファンを用いることで風速を上げることができる。しかし、近年の液晶プロジェクタ装置は小型化が進み、大型の冷却ファンを用いることは、小型化の観点から好ましくない。
【００３０】
さらに、冷却ファンによる冷却には限界（空冷限界）があり、その限界を超える冷却効果を望むことはできない。
【００３１】
さらに、熱伝達率が一定の条件下においては、冷却ファンにより風速を上昇させても平板の温度を下げるには限界がある。よって熱伝達率を改善することが重要となる。
【００３２】
冷却すべき部材の面に沿って空気流を一定の方向に通過させる構造の冷却装置において、熱伝達率の十分な改善効果を得られる構造は、これまで提案されていない。
【００３３】
なお、例えば液晶パネルの表面に対して垂直な方向から空気流を当てることで、表面に沿って空気流を形成する場合に比べて、大きな冷却効果を得ることができる。しかし、液晶ユニットのように、液晶パネルと偏光板の間隔が狭いものにおいて、面に垂直方向から空気流を当てることは実際にはできない。
【００３４】
本発明の目的は、上記問題を解決し、境界層の薄膜化が可能であり、熱伝達率の十分な改善効果を得ることのできる、電子機器の冷却方法およびプロジェクタの冷却方法を提供することにある。
【課題を解決するための手段】
【００３５】
上記目的を達成するため、本発明の電子機器の冷却方法は、
互いの面が対向するように並設された複数の部材を有し、これら部材の少なくとも１つの部材の面が熱が放出される熱放出面を有する電子機器の冷却方法であって、
前記複数の部材からなるユニット部の、前記熱放出面を含む平面と交差する第１の側面から前記熱放出面上に設定される基準点に向かって流れる第１の空気流を発生させるステップと、
前記ユニット部の、前記熱放出面を含む平面と交差する、前記第１の側面に隣接する第２の側面から前記基準点に向かって流れる第２の空気流を発生させるステップと、
前記第１の空気流と前記第２の空気流とを前記基準点および前記基準点の近傍で衝突させ衝突噴流を発生させるステップと、
前記衝突噴流が移動するステップとからなる。
【００３６】
本発明の液晶プロジェクタの冷却方法は、
液晶パネルと、前記液晶パネルの入射面側に配置された第１の光学素子と、前記液晶パネルの出射面側に配置された第２の光学素子と、を有し、これらの少なくとも１つを冷却する液晶プロジェクタの冷却方法であって、
前記液晶パネルの第１の側面から、前記液晶パネルの入射面または出射面上に設定される基準点に向かって流れる第１の空気流を発生させるステップと、
前記液晶パネルの、前記第１の側面と隣接する第２の側面から、前記基準点に向かって流れる第２の空気流を発生させるステップと、
前記第１の空気流と前記第２の空気流とを前記基準点および前記基準点の近傍で衝突させ衝突噴流を発生させるステップと、
前記衝突噴流が前記入射面または前記出射面上を移動するステップとからなる。
【発明の効果】
【００３７】
本発明によれば、第１の空気流が流れる方向（第１の方向）と第２の空気流が流れる方向（第２の方向）は、熱が放出される熱放出面上で交差するようになっているので、第１の開口からの第１の空気流と第２の開口からの第２の空気流が熱放出面上で衝突することになる。これら第１および第２の空気流の衝突により、熱放出面に対して垂直な方向に向かう旋回流（渦）を含む衝突噴流が発生する。この衝突噴流により、熱放出面上に形成される境界層が剥離される（薄膜化）ので、熱伝達率の十分な改善効果を得ることができる。
【００３８】
また、熱放出面に垂直な方向から見た場合に、第１の開口の、熱放出面に平行な切断面における開口幅の中心と基準点とを結ぶ第１の直線と直交する、基準点を通る第２の直線を境として、第２の開口の、熱放出面に平行な切断面における開口幅の中心が、第１の開口が設けられた側とは反対となる側に位置するように構成されているので、第１の開口からの第１の空気流と第２の開口からの第２の空気流とを、例えば１２０度といった角度で衝突させることができる。この場合、発生した衝突噴流は、熱放出面上を、所定の方向に移動する。このように衝突噴流が移動する場合における熱伝達率の改善効果は、衝突噴流が一定の位置に留まる場合に比べて大きいので、より大きな冷却効果を得ることができる。
【図面の簡単な説明】
【００３９】
【図１】本発明の一実施形態である冷却装置の構成を示す模式図である。
【図２】本発明に適用可能な乱流発生機構を備える冷却装置の構成を模式的に示す分解斜視図である。
【図３】図２に示す乱流発生機構により発生する空気流を説明するための模式図である。
【図４】図２に示す乱流発生機構における乱流発生原理を説明するための模式図である。
【図５】図１に示す冷却装置の上部ダクトの端部の構造を示す模式図である。
【図６】図１に示す冷却装置の上部ダクトの端部の別の構造を示す模式図である。
【図７】本発明の他の実施形態である冷却装置の構成を示す模式図である。
【図８】本発明の冷却装置を搭載した液晶プロジェクタ装置の内部の構成を示す斜視図である。
【図９】図８に示す冷却装置の各部の構成を示す斜視図である。
【図１０】図８に示す液晶プロジェクタ装置における、上部ダクトおよび下部ダクトと液晶パネルとの位置関係を示す模式図である。
【図１１】本発明の適用例である、上部ダクトを緑（Ｇ）用の液晶パネルに設けた冷却装置の構成を示す模式図である。
【図１２】本発明の適用例である、緑・青用の液晶パネルの双方に上部ダクトを設けた冷却装置の構成を示す模式図である。
【図１３】（ａ）は仕切り板を有する上部ダクトの構成を示す模式図、（ｂ）はその上部ダクトの側面図である。
【図１４】関連技術としての液晶プロジェクタを説明するための図であって、（ａ）は液晶プロジェクタの外観図、（ｂ）は、液晶プロジェクタの内部構造を示す斜視図である。
【図１５】図１４に示す液晶プロジェクタに搭載された冷却装置の構成を示す模式図である。
【図１６】図１４に示す液晶プロジェクタに搭載された液晶ユニットを冷却する冷却装置の具体的な構造を説明するための図であって、（ａ）は分解斜視図、（ｂ）は冷却動作を説明するための模式的断面図である。
【図１７】特許文献１に記載された冷却装置の構成を示す模式図である。
【図１８】特許文献２に記載された冷却装置の構成を示す模式図である。
【図１９】特許文献３に記載された冷却装置の構成を示す模式図である。
【図２０】特許文献４に記載された冷却装置の構成を示す図であって、（ａ）は上面から見た場合の模式図、（ｂ）は側面から見た場合の模式図である。
【図２１】特許文献４に記載された別の冷却装置の構成を示す図であって、（ａ）は上面から見た場合の模式図、（ｂ）は側面から見た場合の模式図である。
【図２２】特許文献５に記載された別の冷却装置の構成を示す模式図である。
【発明を実施するための形態】
【００４０】
次に、本発明の実施形態について図面を参照して説明する。
【００４１】
本発明は、互いの面が対向するように並設された複数の部材を有し、これら部材の少なくとも１つの部材の面が熱が放出される熱放出面を有する電子機器の冷却装置であって、熱放出面上を、該熱放出面上に設定される基準点に向って第１の方向に流れる第１の空気流と、熱放出面上を、基準点に向って第１の方向と交差する第２の方向に流れる第２の空気流とを発生させ、これら第１および第２の空気流を熱放出面上で衝突させることで乱流（衝突噴流）を発生させ、第１の方向と第２の方向との交差する角度を適宜に設定することで、乱流（衝突噴流）が所定の方向に向かって移動するように構成されている。基準点は空気流が衝突する位置の目標点であって、適宜に設定することができる。例えば、熱放出面を備える部材が液晶パネルである場合、液晶パネルの中心点を基準点とすることで、第１の空気流と第２の空気流とを液晶パネルの中心で衝突させることができる。
【００４２】
まず、本発明の冷却装置に適用可能な乱流発生機構およびその原理について詳細に説明する。
【００４３】
図２は、本発明に適用可能な乱流発生機構を備える冷却装置の構成を模式的に示す分解斜視図である。図３は、その乱流発生機構により発生する空気流を説明するための模式図、図４は、その乱流発生機構における乱流発生原理を説明するための模式図である。
【００４４】
図２および図３を参照すると、液晶ユニット部２は、赤（Ｒ）、緑（Ｇ）、青（Ｂ）の各色に対応して設けられた３つの液晶パネル１３を備える。液晶パネル１３の入射面側には、偏光板１２が配置され、出射面側には、偏光板１４が配置されている。この液晶ユニット部２は、既存の液晶プロジェクタ装置に搭載されている液晶ユニットと同様のものである。
【００４５】
空冷装置は、液晶ユニット１の下方および上方にそれぞれ配置された空冷部２９ａ、３３ａからなる。空冷部２９ａは、冷却ファン２７ａと冷却ダクト２８ａからなる。空冷部３３ａは、冷却ファン３１ａと冷却ダクト３２ａからなる。
【００４６】
空冷ダクト２８ａは、各液晶パネル１３の下端まで伸びており、各下端に位置する部分に、各液晶パネル１３に向けて空気を吹出すための３つの開口部が設けられている。冷却ファン２７ａにより発生した第１の送風（空気流）３０ａは、冷却ダクト２８ａ内を通り、各開口部から各色の液晶パネル１３に向かう。
【００４７】
冷却ダクト３２ａは、各液晶パネル１３の上端まで伸びており、各上端に位置する部分に、各液晶パネル１３に向けて空気を吹出すための３つの開口部が設けられている。冷却ファン３１ａにより発生した第２の送風（空気流）３４ａは、冷却ダクト３２ａ内を通り、各開口部から各色の液晶パネル１３に向かう。
【００４８】
空冷ダクト２８ａの各開口部のそれぞれは、図４に示すように、仕切りにより隔てられた第１および第２の開口を有する。仕切りは、液晶パネル１３の下端と対向する位置に設けられている。第１の開口から吹出した第１の空気流は、液晶パネル１３と入射側の偏光板１２の間を下から上に向かって通過する。第２の開口から吹出した第２の空気流は、液晶パネル１３と出射側の偏光板１４の間を下から上に向かって通過する。
【００４９】
冷却ダクト３２ａの各開口部も、図４に示すように、仕切りにより隔てられた第１および第２の開口を有する。仕切りは、液晶パネル１３の上端と対向する位置に設けられている。第１の開口から吹出した第３の空気流は、液晶パネル１３と入射側の偏光板１２の間を上から下に向かって通過する。第２の開口から吹出した第４の空気流は、液晶パネル１３と出射側の偏光板１４の間を上から下に向かって通過する。
【００５０】
液晶パネル１３と入射側の偏光板１２の間の第１の空気流路において、下から上に向かう第１の空気流と、上から下に向かう第３の空気流が衝突する。同様に、液晶パネル１３と出射側の偏光板１４の間の第２の空気流路において、下から上に向かう第２の空気流と、上から下に向かう第４の空気流が衝突する。各冷却ファン２７ａ、３１ａの送風量が同じで、各冷却ダクト２８ａ、３２ａの内面における流体に対する抵抗が等しい場合は、第１および第３の空気流の衝突位置は第１の空気流路の中間位置（図４中の衝突面ａ）となり、第２および第４の空気流の衝突位置は第２の空気流路の中間位置（図４中の衝突面ａ）となる。
【００５１】
第１の空気流路において、第１および第３の空気流は、衝突位置までは、液晶パネル１３および偏光板１２のそれぞれの表面に沿って進む。第１および第３の空気流が衝突すると、そこで、衝突噴流が発生する。同様に、第２の空気流路において、第２および第４の空気流は、衝突位置までは、液晶パネル１３および偏光板１４のそれぞれの表面に沿って進む。第２および第４の空気流が衝突すると、そこで、衝突噴流が発生する。これら衝突噴流は、非定常的な渦の生成／消失を伴う乱流であり、図４に拡大図として示したように、衝突面ａに沿って液晶パネル１３および偏光板１４のそれぞれの表面に向かう旋回流（渦）を含む。この旋回流（渦）は、液晶パネル１３および偏光板１４のそれぞれの表面に対して略垂直に当たる空気流であり、その冷却効果は、表面に沿って流れる空気流に比べて大きい。
【００５２】
旋回流（渦）を含む衝突噴流による冷却では、
１）表面に形成された境界層の破壊（剥離）
２）衝突部で発生する旋回流による流体交換（温度置換）
３）コアンダ効果による噴流の壁面滑り
といった３つのプロセスを経る。ここで、流体交換（温度置換）は、表面近傍の流体と、表面から少し離れた位置にある流体との交換（温度置換）を意味する。コアンダ効果は、流れの中に物体を置くと、流体と固体壁面との間の圧力が低下し、流れが壁面に吸い寄せられ、その物体に沿って流れの向きが変わる流体の性質を言う。上記３つのプロセスにより、図２に示した冷却装置では、単に平板に沿って流体が流れる場合に比べ、５倍〜１０倍の冷却能力を得られる。
【００５３】
上述したように、第１および第２の空気流路にて生じた衝突噴流は、液晶パネル１３、偏光板１２および偏光板１４のそれぞれの表面からの放熱を促進させるように作用する。換言すると、衝突噴流となった流体の温度は、表面から放出された熱エネルギーによって上昇する。このため、衝突噴流となった流体が表面に留まると、表面からの放熱過程における熱伝達率が低下する場合がある。衝突噴流となった流体を表面上で移動させることで、熱伝達率の低下を抑制することができる。
【００５４】
本発明の冷却装置は、衝突噴流となった流体を適切な方向に移動するように構成したことを特徴とする。
【００５５】
図１は、本発明の一実施形態である冷却装置の構成を示す模式図である。
【００５６】
図１を参照すると、冷却装置は、第１の冷却部を構成する下部ダクト１００と、第２の冷却部を構成する上部ダクト１０１とを有する。図１に示した液晶パネル２００の表面は光が入射する面（入射面）である。なお、図１には示されていないが、図面に向かって液晶パネルの手前側（入射面側）と奥側（出射面側）には偏光板が配置されている。
【００５７】
下部ダクト１００は、開口１００ａを備える。開口１００ａは、液晶ユニット部の、液晶パネル２００の入射面または出射面を含む平面と交差する第１の側面に向けて設けられている。ここでは、開口１００ａは、液晶パネル２００の下方に位置しており、この開口１００ａから出た空気流（第１の空気流）は、液晶パネル２００の表面上を、該表面の中心２００ａを通る直線２００ｂに沿って第１の方向に流れる。ここで、液晶パネル２００の表面の中心２００ａとは、該液晶パネルの表示領域（画素がある領域）の中心を意味し、具体的には矩形の表示領域の対角線の交点となる。液晶パネル２００の表面側から見た場合、直線２００ｂは、開口１００ａの、液晶パネル２００の表面に平行な断面における開口幅の中心と基準点である中心２００ａとを結ぶ直線（第１の直線）である。
【００５８】
上部ダクト１０１は、開口１０１ａを備える。開口１０１ａは、液晶ユニット部の、液晶パネル２００の入射面または出射面を含む平面と交差する、上記第１の側面に隣接する第２の側面に向けて設けられている。ここでは、開口１０１ａは、液晶パネル２００の入射面側から見て、液晶パネル２００の左上に位置しており、開口１０１ａから出た空気流（第２の空気流）は、液晶パネル２００の表面上を、該表面の中心２００ａに向かって、第１の方向と交差する第２の方向に流れる。液晶パネル２００の入射面側から見た場合、開口１０１ａの、液晶パネル２００の表面に平行な断面における開口幅の中心は、液晶パネル２００の表面の中心２００ａを通り、かつ、直線２００ｂと直交する直線２００ｃ（第２の直線）よりも上方に位置する。すなわち、直線２００ｃを境にして、開口１０１ａの中心は、開口１００ａが形成された側とは反対の側に位置する。
【００５９】
衝突噴流となった流体を移動させるために、本実施形態の冷却装置においては、第１の空気流の方向と第２の空気流の方向とのなす角度θ２を、９０度より大きな角度、例えば１２０度に設定している。このため、衝突噴流となった流体は、液晶パネル２００の入射面側から見た場合に、液晶パネル２００の表面上を、右斜め上方向に移動する。図１中の破線で示した矢印は、衝突噴流の移動方向を示す。
【００６０】
角度θ２を大きくすると衝突噴流による冷却効果は高くなり、逆に角度θ２を小さくすると衝突噴流による冷却効果は低くなる。また、衝突噴流の移動方向は、第１および第２の空気流の流速（風速）や流量（風量）、第１の空気流の方向と第２の空気流の方向とのなす角度θ２によって決まる。本実施形態では、第１および第２の空気流の流速（風速）および流量（風量）は同じとされているので、衝突噴流の移動方向は角度θ２によって決まる。衝突噴流の移動方向は排熱する方向とほぼ一致するので、角度θ２により排熱する方向を定めることができる。
【００６１】
本実施形態の冷却装置によれば、衝突噴流を発生することで、境界層の破壊（薄膜化）が可能となっている。さらに、衝突噴流となった流体を移動させることで、衝突噴流で流体が奪い取った熱を効率よく廃熱することができ、その分、衝突噴流による冷却効果を増大することができる。衝突噴流が移動する場合における熱伝達率の改善効果は、衝突噴流が一定の位置に留まる場合に比べて大きいので、より大きな冷却効果を得ることができる。つまり、熱伝導率を改善することができる。
【００６２】
なお、上部ダクト１０１は、図５に示した構造に限定されるものではなく、開口１０１ａから出た空気流を、液晶パネル２００の中心２００ａの方向へ向かわせることができるのであれば、どのような構造であってもよい。
【００６３】
図６に、上部ダクト１０１の別の構造を示す。図６に示す上部ダクト１０１は、直線状に延伸した形状であって、その端部は、ダクト内を流れる空気流の進行方向に対して略垂直な面を備える壁部１０１ｄを有する。開口１０１ａが端部の壁部１０１ｄに隣接して設けられている。開口１０１ａの開口面は、端部の壁部１０１ｄの面に直交する。
【００６４】
図６に示した上部ダクト１０１において、ダクト内を流れる空気流は、端部の壁部１０１ｄの面に当たって、開口１０１ａからダクト外に流れ出す。このとき、端部の壁部１０１ｄの面上において、空気流の淀みが発生する。この淀みの生じた領域（図６中の破線で示した領域）の、端部の壁部１０１ｄの面からの高さは、開口１０１ａ側に近づくほど低くなっている。すなわち、淀みを生じた領域は傾斜を有する。
【００６５】
淀みを生じた領域は、空気流に対して、あたかも壁のように働く。したがって、ダクト内を通る空気流は、この淀みを生じた領域の傾斜面に沿って開口１０１ａへ向かい、そこからダクト外へ流れ出す。この開口１０１ａから流れ出す空気流（第２の空気流）の方向と開口面とのなす角度は、淀みを生じた領域の傾斜の面と端部の壁部の面とのなす角度に一致する。
【００６６】
上記の上部ダクト１０１の構造によっても、開口１０１ａから出た空気流を、液晶パネル２００の中心２００ａの方向へ向かわせることができる。図５に示した構造では、ダクト端部が液晶パネル２００側に飛び出している。これに対して、図６に示した構造では、そのようなダクト端部の飛び出し部分は存在しない。飛び出し部分がない分、ダクトの端部を小さくすることができ、その結果、ダクトと液晶パネルをより近接して配置することができる。
【００６７】
また、図１に示した例では、上部ダクトの数は１つであるが、衝突噴流の発生および移動が可能であれば、上部ダクトは複数設けても良い。図７に、本発明の他の実施形態として、２つの上部ダクトを備える冷却装置を示す。
【００６８】
図７を参照すると、冷却装置は、図１に示した構成に加えて、液晶パネルの右上に上部ダクト１０２を有する。上部ダクト１０２は、直線２０２ｂを中心に、上部ダクト１０１と線対称の構造とされている。
【００６９】
上部ダクト１０２は、開口１０２ａを備える。開口１０２ａは、液晶ユニット部の、液晶パネル２００の入射面または出射面を含む平面と交差する、上記第２の側面と対向する第３の側面に向けて設けられている。ここでは、開口１０２ａは、液晶パネル２００の表面側から見て、液晶パネル２００の右上に位置しており、開口１０２ａから出た空気流（第３の空気流）は、液晶パネル２００の表面上を、該表面の中心２００ａに向かって、第１の方向と交差する第３の方向に流れる。液晶パネル２００の表面側から見た場合、開口１０２ａの中心は直線２００ｃよりも上方に位置する。すなわち、直線２００ｃを境にして、開口１０２ａの、液晶パネル２００の表面に平行な断面における開口幅の中心は、開口１００ａが形成された側とは反対の側に位置する。
【００７０】
本他の実施形態によれば、液晶パネル２００の表面上おいて、開口１００ａからの第１の空気流と、開口１０１ａからの第２の空気流と、開口１０２ａからの第３の空気流とが互いに衝突し、衝突噴流が発生する。この衝突噴流は、液晶パネル２００の表面および不図示の偏光板の表面に向かう旋回流を含む。この衝突噴流となった流体は、液晶パネル２００の表面側から見た場合に、液晶パネル２００の表面上を、上方向、左斜め下方向、右斜め下方向の３つの方向に移動する。図７中の破線で示した矢印は、衝突噴流の移動方向を示す。
【００７１】
このように衝突噴流となった流体を移動させることで、衝突噴流で流体が奪い取った熱を効率よく廃熱することができ、その分、衝突噴流による冷却効果を増大することができる。つまり、熱伝導率を改善することができる。
【００７２】
また、本発明の別の実施形態によれば、互いの面が対向するように並設された複数の部材を有し、これら部材の少なくとも１つの部材の面が熱が放出される熱放出面を有する電子機器の冷却装置であって、上記複数の部材からなるユニット部の、上記熱放出面を含む平面と交差する第１の側面に向けて設けられた第１の開口を備え、該第１の開口から噴出した空気流が、上記熱放出面上に設定される基準点に向かって第１の方向に流れる第１の空冷部と、上記ユニット部の、上記熱放出面を含む平面と交差する、上記第１の側面に隣接する第２の側面に向けて設けられた第２の開口を備え、該第２の開口から噴出した空気流が、上記基準点に向かって上記第１の方向と交差する第２の方向に流れる第２の空冷部と、を有し、上記第１の開口の、上記熱放出面に平行な切断面における開口幅の中心と上記基準点とを結ぶ第１の直線と直交する、上記基準点を通る第２の直線を境として、上記第２の開口の、上記熱放出面に平行な切断面における開口幅の中心が、上記第１の開口が設けられた側とは反対となる側に位置するように構成される。この場合も、衝突噴流となった流体を移動させることで、衝突噴流で流体が奪い取った熱を効率よく廃熱することができ、その分、衝突噴流による冷却効果を増大することができる。つまり、熱伝導率を改善することができる。
【００７３】
上記の場合、上記ユニット部の、上記熱放出面を含む平面と交差する、上記第２の側面と対向する第３の側面に向けて設けられた第３の開口を備え、該第３の開口から噴出した空気流が、上記基準点に向かって上記第１の方向と交差する第３の方向に流れる第３の空冷部と、を有し、上記第２の直線を境として、上記第３の開口の、上記熱放出面に平行な切断面における開口幅の中心が、上記第１の開口が設けられた側とは反対となる側に位置するように構成してもよい。この場合も、衝突噴流となった流体を移動させることで、衝突噴流で流体が奪い取った熱を効率よく廃熱することができ、その分、衝突噴流による冷却効果を増大することができる。つまり、熱伝導率を改善することができる。
【００７４】
また、上記第１および第２の空冷部に空気を供給するための共通の冷却ファンを有していてもよい。冷却ファンの共通化により、コストを削減することが可能となる。
【００７５】
さらに、第１の開口と連通する第１のダクトと、第２の開口と連通する第２のダクトとが共通の吸気口に連通していてもよい。
【００７６】
さらに、上記第１の開口の、上記熱放出面に平行な切断面における開口幅が、上記第１の側面の、上記熱放出面に平行な切断面における幅より狭くてもよい。
【００７７】
さらに、上記第２の開口の、上記熱放出面に平行な切断面における開口幅が、上記第２の側面の、上記熱放出面に平行な切断面における幅より狭くてもよい。
【００７８】
さらに、上記第１の開口と連通する第１のダクト、上記第２の開口と連通する第２のダクトおよび上記第３の開口と連通する第３のダクトのうちの少なくとも２つのダクトが共通の吸気口に連通していてもよい。
【００７９】
さらに、上記第３の開口の、上記熱放出面に平行な切断面における開口幅が、上記第３の側面の、上記熱放出面に平行な切断面における幅より狭くてもよい。
【００８０】
以上説明した各実施形態の冷却装置によれば、衝突噴流の移動による熱伝達率低下の抑制に加えて、以下のような効果も有する。
【００８１】
通常、液晶パネルへ駆動信号を供給するためのフレキシブルケーブルは、液晶パネルの上部に設けられている。この場合、図２に示したように、上部ダクトの開口部が液晶パネルの真上に位置する冷却装置においては、上部ダクトの開口部がフレキシブルケーブルと干渉する、という問題が生じる。上述した本発明の各実施形態によれば、上部ダクトの開口は、液晶パネルの左右の端部に向けて配置されるので、上部ダクトの開口部がフレキシブルケーブルと干渉することを回避することができる。
【００８２】
次に、上述した本発明の冷却装置を搭載した液晶プロジェクタ装置について説明する。
【００８３】
図８は、本発明の冷却装置を搭載した液晶プロジェクタ装置の内部の構成を示す斜視図である。図９は、図８に示した冷却装置の部分の構成を示す斜視図である。
【００８４】
図８および図９を参照すると、液晶プロジェクタ装置は、シロッコファン３０１ａ、３０１ｂ、３０２、３０３、ランプ３０４、偏光ビームスプリッタ（ＰＢＳ）３０５、液晶パネル３０６〜３０８、光学エンジン３０９、投写レンズ３１０、上部ダクト３１１、吸気ダクト３１２、および下部ダクト３１３を有する。
【００８５】
ランプ３０４から出射した光束の進行方向にＰＢＳ３０５が配置されている。ＰＢＳ３０５は、ランプ３０４からの光の偏光を揃える。ＰＢＳ３０５を通過した光束の進行方向には、複数のダイクロイックミラーなどからなる色分離部（不図示）が配置されている。色分離部は、入射光束を赤（Ｒ）、緑（Ｇ）、青（Ｂ）の各色に分離する。
【００８６】
液晶パネル３０６〜３０８のそれぞれの入射面側および出射面側には、偏光板がそれぞれ設けられている。これら液晶パネル３０６〜３０８および偏光板は、保持構造を介して光学エンジン３０９上に固定されている。色分離部で色分離した光束のうち、赤（Ｒ）の光束が液晶パネル３０６に照射され、緑（Ｇ）の光束が液晶パネル３０７に照射され、青（Ｂ）の光束が液晶パネル３０８に照射される。液晶パネル３０６〜３０８を通過した各色の光束は、不図示の色合成プリズムにて色合成された後、投写レンズ３１０に入射する。
【００８７】
シロッコファン３０３は、ランプ３０４を冷却するためのものである。シロッコファン３０１ａは筐体側面の設けられた吸気口から外気を取り込む。シロッコファン３０１ｂは、吸気ダクト３１２を介して、外気を取り込む。シロッコファン３０１ａ、３０１ｂの吹出し口は下部ダクト３１３と連通しており、シロッコファン３０１ａ、３０１ｂで発生した空気流は、下部ダクト３１３を通って、液晶パネル３０６〜３０８に供給される。
【００８８】
シロッコファン３０２の吸気口は吸気ダクト３１２と連通している。シロッコファン３０２も、シロッコファン３０１ｂと同様、吸気ダクト３１２を介して、外気を取り込む。シロッコファン３０２の吹出し口は上部ダクト３１１と連通しており、シロッコファン３０２で発生した空気流は、上部ダクト３１１を通って液晶パネル３０８に供給される。
【００８９】
図１０に、液晶パネル３０８の光入射側から見た場合の、上部ダクト３１１および下部ダクト３１３と液晶パネル３０８との位置関係を模式的に示す。
【００９０】
図１０に示すように、下部ダクト３１３は開口３１３ａを備える。開口３１３ａは、液晶パネル３０８の下方に位置している。液晶パネル３０８の光入射側から見た場合、開口３１３ａの、液晶パネル３０８の表面に平行な断面における開口幅の中心は、液晶パネル３０８の表面の中心３０８ａを通る直線３０８ｂより左側に位置する。開口３１３ａには、開口３１３ａから吹出す空気流を液晶パネル３０８の表面の中心３０８ａへ向かわせるための板部材３１３ｂが設けられている。この板部材３１３ｂにより、開口３１３ａからの空気流の吹出し方向が制限される。その結果、開口３１３ａから吹出した空気流（第１の空気流）は、液晶パネル３０８の表面上を、その中心３０８ａに向かう第１の方向に流れる。
【００９１】
上部ダクト３１１は、図６に示したダクト構造と同様のものであって、開口３１１ａを備える。開口３１１ａは、液晶パネル３０８の光入射側から見て、液晶パネル３０８の左上に位置しており、開口３１１ａから吹出した空気流（第２の空気流）は、液晶パネル３０８の表面上を中心３０８ａに向かって、第１の方向と交差する第２の方向に流れる。液晶パネル３０８の光入射側から見た場合、開口３１１ａの、液晶パネル３０８の表面に平行な断面における開口幅の中心は、液晶パネル３０８の表面の中心３０８ａを通り、かつ、直線３０８ｂと直交する直線３０８ｃよりも上方に位置する。
【００９２】
液晶パネル３０８の表面上において、開口３１３ａからの第１の空気流と開口３１１ａからの第２の空気流とが衝突し、衝突噴流が発生する。この衝突噴流は、液晶パネル３０８の表面および該表面と対向する偏光板の表面にそれぞれ向かう旋回流を含む。衝突噴流となった流体は、液晶パネル３０８の表面側から見た場合に、液晶パネル３０８の表面上を、右斜め上方向に移動する。これにより、衝突噴流で流体が液晶パネル３０８から奪い取った熱を効率よく廃熱することができ、その分、冷却効果が増大する。つまり、熱伝導率を改善することができる。
【００９３】
図８から図１０に示した液晶プロジェクタ装置においては、上部ダクト３１１が青色用の液晶パネル３０８にのみ形成されているが、これは、入射光の光エネルギーの違いにより、青色用の液晶パネル３０８における発熱量が、他の液晶パネル３０６、３０７に比べて大きいためである。
【００９４】
緑（Ｇ）用の液晶パネル３０７に対して上部ダクトを設けることもできる。図１１に、上部ダクトを緑（Ｇ）用の液晶パネルに設けた冷却装置の構成を示す。
【００９５】
図１１を参照すると、冷却装置は、上部ダクト３１１およびシロッコファン３０２からなる冷却部に代えて、上部ダクト３１１ａおよびシロッコファン３０２ａからなる冷却部を設けた以外は、図９に示した構成と同じである。
【００９６】
シロッコファン３０２ａの吸気口は吸気ダクト３１２と連通している。シロッコファン３０２ａも、シロッコファン３０２と同様、吸気ダクト３１２を介して、外気を取り込む。シロッコファン３０２ａの吹出し口は上部ダクト３１１ａと連通している。シロッコファン３０２ａで発生した空気流は、上部ダクト３１１ａを通って液晶パネル３０７に供給される。液晶パネル３０７の光が入射する側から見た場合の、上部ダクト３１１ａおよび下部ダクト３１３と液晶パネル３０７との位置関係は、図１０に示した位置関係と基本的に同じである。上部ダクト３１１ａは、液晶パネル３０７の左上に位置する。
【００９７】
液晶パネル３０７の表面上において、下部ダクト３１３からの第１の空気流と上部ダクト３１１ａからの第２の空気流とが衝突し、衝突噴流が発生する。この衝突噴流は、液晶パネル３０７の表面および該表面と対向する偏光板の表面にそれぞれ向かう旋回流を含む。衝突噴流となった流体は、液晶パネル３０７の表面側から見た場合に、液晶パネル３０７の表面上を、右斜め上方向に移動する。これにより、衝突噴流で流体が液晶パネル３０７の表面から奪い取った熱を効率よく廃熱することができ、その分、冷却効果が増大する。つまり、熱伝導率を改善することができる。
【００９８】
また、緑用の液晶パネル３０７および青用の液晶パネル３０８の双方に上部ダクトを設けることもできる。図１２に、緑・青用の液晶パネル３０７、３０８の双方に上部ダクトを設けた冷却装置の構成を示す。
【００９９】
図１２を参照すると、冷却装置は、図９に示した構成に、図１１に示した上部ダクト３１１ａおよびシロッコファン３０２ａからなる冷却部を加えたものである。
【０１００】
この冷却装置によれば、液晶パネル３０８の表面上において、下部ダクト３１３からの第１の空気流と上部ダクト３１１からの第２の空気流とが衝突し、衝突噴流が発生する。そして、発生した衝突噴流が、液晶パネル３０８の表面上を右斜め上方向に移動する。これと同様に、液晶パネル３０７の表面上において、下部ダクト３１３からの第１の空気流と上部ダクト３１１ａからの第２の空気流とが衝突し、衝突噴流が発生する。この衝突噴流は、液晶パネル３０７の表面上を、右斜め上方向に移動する。これにより、衝突噴流で流体が液晶パネル３０７、３０８の表面とおよび偏光板の表面から奪い取った熱を効率よく廃熱することができ、その分、冷却効果が増大する。つまり、熱伝導率を改善することができる。
【０１０１】
なお、図８から図１２に示した例では、青用の液晶パネルまたは緑用の液晶パネルもしくは両液晶パネルに対して上部ダクトを設けているが、赤用の液晶パネルに対して上部ダクトを設けても良い。
【０１０２】
以上の本発明の冷却装置を適用した液晶プロジェクタ装置によれば、上部ダクトは、液晶パネルに隣接して設けられている、フレキシブルケーブル、フランジ、光学エンジンなどの障害物のない空間に配置される。また、液晶パネルの表面上で、第１の空気流と第２の空気流とを発生させ、それにより生じた衝突噴流を、障害物のない方向へ移動させる。これにより、熱せられた空気が冷却風として還流することを避けることができるので、液晶パネルの冷却効果がより増大する。
【０１０３】
また、本発明の冷却装置を適用した液晶プロジェクタ装置において、上部ダクトの開口は、該開口を複数の開口部に分割するための少なくとも一つの仕切りを設けてもよい。図１３に、そのような仕切りを有する上部ダクトの構成を示す。
【０１０４】
図１３において、（ａ）は上部ダクトの開口が設けられた面側から見た模式図、（ｂ）上部ダクトの側面図である。上部ダクト４００は、図１に示した上部ダクト１０１または図７に示した上部ダクト１０２であって、開口した部分（開口１０１ａまたは開口１０２ａ）は、仕切り４０２により隔てられた２つの開口４０１ａ、４０１ｂを有する。仕切り４０２は、液晶パネル１３の端部と対向する位置に設けられている。
【０１０５】
液晶パネル１３の入射面側には、偏光板１２および光学補償板１２ａが配置されている。液晶パネル１３の出射面側には、検光子１４ａ、１４ｂ、１４ｃが配置されている。偏光板１２と光学補償板１２ａの間隔は１．５ｍｍである。光学補償板１２ａと液晶パネル１３の間隔は３．３ｍｍである。液晶パネル１３と検光子１４ａの間隔は３．１ｍｍである。検光子１４ａと検光子１４ｂの間隔は１．５ｍｍである。検光子１４ｂと検光子１４ｃの間隔は１．０ｍｍである。
【０１０６】
液晶パネル１３の厚さは５．７ｍｍである。光学補償板１２ａの厚さは０．７ｍｍである。検光子１４ａ、１４ｂ、１４ｃの厚さは、それぞれ１．０ｍｍ、０．５ｍｍ、１．５ｍｍである。仕切り板４０２の幅ｔ１は２ｍｍで、厚さｔ２は１．５ｍｍである。開口４０１ａの幅は５．１ｍｍであり、開口４０１ｂの幅は８．１ｍｍである。
【０１０７】
上部ダクト４００の開口部分に仕切り４０２を設けたことで、開口４０１ａ、４０１ｂから吹出す空気流の流速（風速）が、仕切り４０２を設けない場合に比べて上がる。
【０１０８】
液晶パネル１３は５．７ｍｍという厚さを有するため、上部ダクト４００の開口部分に仕切り４０２を設けない場合は、この液晶パネル１３の端部が、開口からの空気流の抵抗となってしまい冷却効率が低下してしまう懸念がある。
【０１０９】
上部ダクト４００の開口部分に仕切り４０２を設けることで、開口４０１ａ、４０１ｂから吹出す空気流の流速（風速）が、仕切り４０２を設けない場合に比べて上がる。開口４０１ａからの空気流は、液晶パネル１３および検光子１４ａ、１４ｂ、１４ｃの各間を通過する。開口４０１ｂからの空気流は、液晶パネル１３、偏光板１２、光学補償板１２ａの各間を通過する。このように、より流速（風速）の速い空気流により冷却を行うことが可能となっている。なお、偏光板１２、光学補償板１２ａ、検光子１４ａ、１４ｂ、１４ｃの厚さは、液晶パネル１３に比べて十分に薄いので、偏光板１２、光学補償板１２ａ、検光子１４ａ、１４ｂ、１４ｃの各端部による空気流に対する抵抗はあまり問題にならない。
【０１１０】
以上説明した本発明の冷却装置は、液晶ユニットに限定されるものではなく、互いの面が対向するように並設された複数の部材を有し、これら部材の少なくとも１つの部材の面が熱が放出される熱放出面を有する電子機器に適用することができる。適用可能な電子機器として、例えば複数のプリント回路板を並列に実装したラックユニットや、筐体内にＩＣチップ基板が実装された小型の電子機器などがある。
【０１１１】
また、本発明の冷却装置を適用した液晶プロジェクタ装置において、液晶パネルの入射面側および出射面側にはそれぞれ、偏光板または位相シフト板もしくは光学補償板のいずれか１つまたはそれらの組み合わせからなる光学素子を設けてもよい。この場合、液晶ユニット部は、これら液晶パネルおよび光学素子からなる。
【符号の説明】
【０１１２】
１００、１０１  ダクト
１００ａ、１０１ａ  開口
２００  液晶パネル
【図１】
0005288508.tif 000002
【図２】
0005288508.tif 000003
【図３】
0005288508.tif 000004
【図４】
0005288508.tif 000005
【図５】
0005288508.tif 000006
【図６】
0005288508.tif 000007
【図７】
0005288508.tif 000008
【図８】
0005288508.tif 000009
【図９】
0005288508.tif 000010
【図１０】
0005288508.tif 000011
【図１１】
0005288508.tif 000012
【図１２】
0005288508.tif 000013
【図１３】
0005288508.tif 000014
【図１４】
0005288508.tif 000015
【図１５】
0005288508.tif 000016
【図１６】
0005288508.tif 000017
【図１７】
0005288508.tif 000018
【図１８】
0005288508.tif 000019
【図１９】
0005288508.tif 000020
【図２０】
0005288508.tif 000021
【図２１】
0005288508.tif 000022
【図２２】
0005288508.tif 000023